(57)【要約】【課題】冷却や耐熱性向上あるいは放熱性改善のためのコストアップを招くことなく、多様なサイズの幅狭の用紙について、連続通紙による紙幅外領域の過昇温を適切に抑制することができるようにする。【解決手段】最大加熱領域の両端部で導線を折り返すと共にその折り返し部間で導線を軸方向に往復させるように巻き回して形成されて、加熱ローラ２１に鎖交する磁束を発生する励磁コイル３１と、この励磁コイルに沿って軸方向に並べて配置され、各自の消磁領域の両端部で導線を折り返すと共にその折り返し部３５ａ〜３７ａ・３５ｂ〜３７ｂ間で導線を軸方向に往復させるように巻き回して形成されて、励磁コイルによる磁束を打ち消して加熱ローラに鎖交する磁束を低減する消磁コイル３５〜３７と有し、この消磁コイルは、折り返し部を励磁コイルから離れる方向に突出させた形状に形成されたものとする。【選択図】図７
2010218952.tif 000002
【特許請求の範囲】
【請求項１】
回転加熱体を電磁誘導作用により発熱させる誘導加熱ユニットであって、
前記回転加熱体の最大加熱領域の全体に渡って延在し、その最大加熱領域の両端部で導線を折り返すと共にその折り返し部間で導線を前記回転加熱体の軸方向に往復させるように巻き回して形成されて、前記回転加熱体に鎖交する磁束を発生する励磁コイルと、
この励磁コイルに沿って前記回転加熱体の軸方向に並べて配置され、通紙される用紙サイズごとの通紙幅を基準にして発熱抑制領域を複数に分割した領域にそれぞれ対応する消磁領域を有し、各自の消磁領域の両端部で導線を折り返すと共にその折り返し部間で導線を前記回転加熱体の軸方向に往復させるように巻き回して形成されて、前記励磁コイルによる磁束を打ち消して前記回転加熱体に鎖交する磁束を低減する複数の消磁コイルと有し、
前記消磁コイルは、前記折り返し部を前記励磁コイルから離れる方向に突出させた形状に形成されたことを特徴とする誘導加熱ユニット。
【請求項２】
前記折り返し部を前記回転加熱体の径方向に突出させ、隣り合う前記消磁コイルの前記折り返し部の互いに対向する端面を全面的に近接させたことを特徴とする請求項１に記載の誘導加熱ユニット。
【請求項３】
前記消磁コイルにおいて、両端の折り返し部を相互に結ぶ軸方向部を少なくとも２つに分割して、その分割部分の間に前記励磁コイルを露出させる間隙を形成したことを特徴とする請求項１若しくは請求項２に記載の誘導加熱ユニット。
【請求項４】
前記分割部分の少なくとも一方が前記励磁コイルに重ならないように配置されたことを特徴とする請求項３に記載の誘導加熱ユニット。
【請求項５】
請求項１乃至請求項４のいずれかに記載の誘導加熱ユニットを備えたことを特徴とする定着装置。
【請求項６】
請求項５に記載の定着装置を備えたことを特徴とする画像形成装置。
【発明の詳細な説明】
【技術分野】
【０００１】
本発明は、回転加熱体を電磁誘導作用により発熱させる誘導加熱ユニット並びにこれを備えた定着装置及び画像形成装置に関するものである。
【背景技術】
【０００２】
電子写真プロセスにより用紙に画像を形成する画像形成装置（プリンタ、ファクシミリ装置、複写機、及び複合機など）では、感光体から用紙上に転写された未定着のトナーを熱と圧力の作用により用紙に定着させる定着装置が設けられている。この定着装置では、近年、加熱ローラなどの加熱体を電磁誘導作用で生じる渦電流によるジュール熱で加熱する電磁誘導加熱方式によるものが省エネルギーの観点から注目されている。
【０００３】
また、画像形成装置では各種の寸法の用紙が用いられるが、最大通紙幅より幅狭の用紙が連続通紙されると、定着装置の加熱体において、その用紙が通過する紙幅領域の外側の紙幅外領域では用紙との接触により熱が奪われないため、紙幅領域との間の温度差が徐々に拡大し、紙幅領域が温度制御により所定の定着温度に保持されるのに対して、紙幅外領域は定着温度を超えて上昇する過昇温が発生する。この紙幅外領域での過昇温は、構成部材に熱的損傷を与え、また紙幅外領域に過昇温が発生した後に、大サイズの用紙が通紙されると、加熱体の紙幅外領域の過昇温部分にトナーが焼きついてしまい、ホットオフセットなどの定着不良を招くことから、望ましくない。
【０００４】
このような加熱体の紙幅外領域の過昇温を防止するには、幅狭の用紙の通紙時に紙幅外領域で加熱体の発熱を抑制するようにすれば良く、このような加熱体の発熱を部分的に抑制する技術として、励磁コイルによる磁束を打ち消して加熱体に鎖交する磁束を低減する消磁コイルを、励磁コイルに沿って発熱を抑制したい領域に配置したものが知られている（特許文献１参照）。
【０００５】
この従来の技術では、最大幅の用紙より幅狭の用紙が複数種類ある場合でも、各用紙の幅に対応した紙幅外領域の過昇温を適切に抑制することができるように、複数の消磁コイルを回転加熱体の軸方向に並べて配置した構成（特許文献１の図１５参照）や、複数の消磁コイルを回転加熱体の径方向に重ねて配置した構成（特許文献１の図８参照）が採用されている。
【特許文献１】特開２００８−１３９４７５号公報（図１５及び図８）
【発明の開示】
【発明が解決しようとする課題】
【０００６】
しかしながら、前記従来の技術のように、複数の消磁コイルを回転加熱体の軸方向に並べて配置した構成では、消磁コイルの互いに隣接する部分で、誘導電流が互いに逆向きに流れるため、消磁効果が互いに打ち消されて弱くなり、回転加熱体の発熱を十分に抑制することができず、紙幅外領域に部分的に温度が高い部分が発生するという問題がある。
【０００７】
また、励磁コイルが励磁電流により発熱すると共に、消磁コイルも、励磁コイルによる磁束により発生する誘導電流によって発熱するが、前記従来の技術のように、複数の消磁コイルを回転加熱体の径方向に重ねて配置した構成では、消磁コイルの放熱が阻害されるため、消磁コイルの温度が上昇する。さらに、励磁コイルに消磁コイルが重ねて配置されることから、励磁コイルの放熱も阻害されるため、励磁コイルの温度も上昇する。
【０００８】
このため、消磁コイルや励磁コイルに特別な冷却手段を設けたり、消磁コイルや励磁コイルに耐熱性の高い被覆を施した導線を用いたりする必要が生じ、コストアップを招くという問題がある。また、消磁コイルや励磁コイルの放熱が阻害されないように各コイルを離間させて放熱性を改善する構成も考えられるが、この場合、消磁コイルの消磁効果の低下を避けるために、消磁コイルの巻き数を多くする必要が生じ、同様にコストアップを招くという問題点がある。
【０００９】
本発明は、このような従来技術の問題点を解消するべく案出されたものであり、その主な目的は、冷却や耐熱性向上あるいは放熱性改善のためのコストアップを招くことなく、多様なサイズの幅狭の用紙について、連続通紙による紙幅外領域の過昇温を適切に抑制することができるように構成された誘導加熱ユニット並びにこれを備えた定着装置及び画像形成装置を提供することにある。
【課題を解決するための手段】
【００１０】
本発明の誘導加熱ユニットは、回転加熱体を電磁誘導作用により発熱させる誘導加熱ユニットであって、前記回転加熱体の最大加熱領域の全体に渡って延在し、その最大加熱領域の両端部で導線を折り返すと共にその折り返し部間で導線を前記回転加熱体の軸方向に往復させるように巻き回して形成されて、前記回転加熱体に鎖交する磁束を発生する励磁コイルと、この励磁コイルに沿って前記回転加熱体の軸方向に並べて配置され、通紙される用紙サイズごとの通紙幅を基準にして発熱抑制領域を複数に分割した領域にそれぞれ対応する消磁領域を有し、各自の消磁領域の両端部で導線を折り返すと共にその折り返し部間で導線を前記回転加熱体の軸方向に往復させるように巻き回して形成されて、前記励磁コイルによる磁束を打ち消して前記回転加熱体に鎖交する磁束を低減する複数の消磁コイルと有し、前記消磁コイルは、前記折り返し部を前記励磁コイルから離れる方向に突出させた形状に形成された構成とする。
【００１１】
また、本発明の定着装置は、前記のように構成された誘導加熱ユニットを備えた構成とする。
【００１２】
また、本発明の画像形成装置は、前記のように構成された定着装置を備えた構成とする。
【発明の効果】
【００１３】
本発明によれば、消磁コイルの折り返し部が励磁コイルから離れる方向に突出することから、消磁コイルからの放熱が促進され、同時に消磁コイルを介して励磁コイルの放熱も促進されるため、冷却や耐熱性向上あるいは放熱性改善のためのコストアップを避けることができる。しかも、折り返し部を薄く形成することで消磁効果が低下する領域を狭くすることができるため、紙幅外領域に部分的に温度が高い部分が発生する温度むらを抑制することができる。
【発明を実施するための最良の形態】
【００１４】
上記課題を解決するためになされた第１の発明は、回転加熱体を電磁誘導作用により発熱させる誘導加熱ユニットであって、前記回転加熱体の最大加熱領域の全体に渡って延在し、その最大加熱領域の両端部で導線を折り返すと共にその折り返し部間で導線を前記回転加熱体の軸方向に往復させるように巻き回して形成されて、前記回転加熱体に鎖交する磁束を発生する励磁コイルと、この励磁コイルに沿って前記回転加熱体の軸方向に並べて配置され、通紙される用紙サイズごとの通紙幅を基準にして発熱抑制領域を複数に分割した領域にそれぞれ対応する消磁領域を有し、各自の消磁領域の両端部で導線を折り返すと共にその折り返し部間で導線を前記回転加熱体の軸方向に往復させるように巻き回して形成されて、前記励磁コイルによる磁束を打ち消して前記回転加熱体に鎖交する磁束を低減する複数の消磁コイルと有し、前記消磁コイルは、前記折り返し部を前記励磁コイルから離れる方向に突出させた形状に形成された構成とする。
【００１５】
これによると、消磁コイルの折り返し部が励磁コイルから離れる方向に突出することから、消磁コイルからの放熱が促進され、同時に消磁コイルを介して励磁コイルの放熱も促進される。特に誘導加熱ユニットの内部を回転加熱体の軸方向に冷却風を流通させる場合には、消磁コイルの折り返し部が冷却風に対して対向する状態となるため、冷却効果を高めることができる。このため、冷却や耐熱性向上あるいは放熱性改善のためのコストアップを避けることができる。
【００１６】
そして、隣り合う消磁コイル同士で折り返し部が軸方向に隣接し、この部分では誘導電流が互いに逆向きに流れることで消磁効果が低下するが、折り返し部を薄く形成することで消磁効果が低下する領域を狭くすることができ、これにより紙幅外領域に部分的に温度が高い部分が発生する温度むらを抑制することができる。
【００１７】
前記課題を解決するためになされた第２の発明は、前記第１の発明において、前記折り返し部を前記回転加熱体の径方向に突出させ、隣り合う前記消磁コイルの前記折り返し部の互いに対向する端面を全面的に近接させた構成とする。
【００１８】
これによると、消磁効果が低下する領域をより一層狭くすることができるので、温度むらを抑制する上でより一層の効果を得ることができる。この場合、隣り合う消磁コイルの互いに対向する端面間に余分な隙間が生じないようにすれば良く、消磁コイルの端面同士を直接密着させる構成の他、消磁コイルの端面間に必要な間隙を設けたり、あるいは消磁コイルの端面間に別の部材を介装する構成も可能である。
【００１９】
前記課題を解決するためになされた第３の発明は、前記第１・第２の発明において、前記消磁コイルにおいて、両端の折り返し部を相互に結ぶ軸方向部を少なくとも２つに分割して、その分割部分の間に前記励磁コイルを露出させる間隙を形成した構成とする。
【００２０】
これによると、消磁コイルに形成された間隙により、励磁コイルの放熱がより一層促進される。
【００２１】
前記課題を解決するためになされた第４の発明は、前記第３の発明において、前記分割部分の少なくとも一方が前記励磁コイルに重ならないように配置された構成とする。
【００２２】
これによると、励磁コイルにおいて消磁コイルにより覆われる部分が小さくなるため、励磁コイルの放熱がより一層促進される。
【００２３】
以下、本発明の実施の形態を、図面を参照しながら説明する。
【００２４】
図１は、本発明が適用される複写機の概略構成を示す模式的な断面図である。この複写機（画像形成装置）１は、原稿の画像を読み取る原稿読取部２と、ここで読み取った原稿の画像をトナーで用紙（記録媒体）上に形成する画像形成部３と、ここで用紙上に形成されたトナー像を定着させる定着部（定着装置）４とを有し、画像形成部３には給紙部５から用紙が供給され、定着部４で定着処理が終わった用紙が排紙部６に排出される。
【００２５】
画像形成部３では、帯電ローラ１１により一様に帯電された感光体ドラム１２に対してレーザ走査ユニット１３からレーザ光が照射されて感光体ドラム１２の像形成面上に静電潜像が形成された後、現像ユニット１４内のトナーが現像ローラ１５を介して感光体ドラム１２に供給されることでその像形成面上の静電潜像が現像され、これにより形成されたトナー像が転写ローラ１６により用紙に転写される。
【００２６】
＜第１の実施形態＞
図２は、図１に示した定着部を示す断面図である。図３は、図２に示した誘導加熱ユニットの平面図である。
【００２７】
図２に示すように、定着部４は、用紙Ｓ上のトナー像を熱溶融させる加熱ローラ（回転加熱体）２１と、図示しないばねにより加熱ローラ２１に圧接する向きに付勢された加圧ローラ２２と、加熱ローラ２１に対向配置されて電磁誘導作用により加熱ローラ２１を発熱させる誘導加熱ユニット２３とを有しており、加熱ローラ２１と加圧ローラ２２とによるニップ部に用紙Ｓが送り込まれ、熱及び圧力の作用で用紙Ｓ上のトナーが用紙Ｓに定着される。
【００２８】
誘導加熱ユニット２３は、加熱ローラ２１に鎖交する磁束を発生する励磁コイル３１と、この励磁コイル３１により発生する磁束を加熱ローラ２１に導く磁路を形成する磁性体コアとしてのセンタコア３２、サイドコア３３及びアーチコア３４と、励磁コイル３１による磁束を打ち消して加熱ローラ２１に鎖交する磁束を低減する第１〜第３の消磁コイル３５〜３７と、この消磁コイル３５〜３７の両端を結ぶ通電路を開閉してその消磁コイル３５〜３７の作動状態と非作動状態とを切り替えるスイッチ４１〜４３とを有している。
【００２９】
磁性体コアを構成するセンタコア３２は、励磁コイル３１の幅方向の中心部を加熱ローラ２１の軸方向に延在するように設けられている。サイドコア３３は、励磁コイル３１の幅方向の端部に沿って加熱ローラ２１の軸方向に延在するように設けられている。アーチコア３４は、センタコア３２及びサイドコア３３を橋絡する態様で加熱ローラ２１の周方向に延在するように設けられている。このアーチコア３４は、加熱ローラ２１の軸方向に離間して複数配列されている。
【００３０】
励磁コイル３１と、センタコア３２、サイドコア３３及びアーチコア３４と、消磁コイル３５〜３７とは、フレーム（保持体）３８における加熱ローラ２１と相反する側の面に保持される共に、このフレーム３８に対して加熱ローラ２１と相反する側に設けられたカバー３９で覆われている。フレーム３８は、加熱ローラ２１の外周面に沿って一定間隔をおいて近接して配置されるように円弧状断面に形成されている。
【００３１】
加熱ローラ２１は、鉄やステンレスなどの金属材料にて形成されている。センタコア３２、サイドコア３３、及びアーチコア３４は、フェライトやパーマロイなどの強磁性体の材料で形成されている。
【００３２】
励磁コイル３１は、加熱ローラ２１を中心にした略半円形の断面領域に渡って加熱ローラ２１の周囲を覆うように設けられている。また、この励磁コイル３１は、図３に示すように、加熱ローラ２１の最大加熱領域の全体に渡って延在し、その最大加熱領域の両端部で導線を折り返すと共にその折り返し部３１ａ・３１ｂ間で導線を加熱ローラ２１の軸方向に往復させながらセンタコア３２の周囲を周回するように巻き回して長円環状に形成されている。なお、この励磁コイル３１には、被覆導線を多数束ねた構成の１条のリッツ線（導線束）が用いられる。
【００３３】
消磁コイル３５〜３７は、図２に示したように、励磁コイル３１に沿ってこの励磁コイル３１に対して加熱ローラ２１の径方向に重なり合う態様で、加熱ローラ２１と相反する側、すなわち励磁コイル３１の上側（径方向外側）に配置されている。また、この消磁コイル３５〜３７は、図３に示したように、励磁コイル３１に沿って加熱ローラ２１の軸方向に並べて配置され、軸方向の両端部で導線を折り返すと共にその折り返し部３５ａ〜３７ａ・３５ｂ〜３７ｂ間で導線を軸方向に往復させるように巻き回して形成されている。なお、この消磁コイル３５〜３７には、励磁コイル３１と同様に、被覆導線を多数束ねた構成の１条のリッツ線（導線束）が用いられる。
【００３４】
この消磁コイル３５〜３７では、励磁コイル３１による磁束により誘導電流が流れ、この誘導電流により発生する逆向きの磁束が励磁コイル３１による元の磁束を打ち消すように作用することで、加熱ローラ２１に鎖交する磁束を低減することができる。
【００３５】
図４は、図３に示した誘導加熱ユニットによる加熱ローラの軸方向の温度分布を示している。図４（Ａ）は、消磁コイル３５〜３７を作動させた状態での未通紙時の温度分布を示しており、図４（Ｂ）は、消磁コイル３５〜３７を作動させない状態での通紙時の温度分布を示している。
【００３６】
この複写機１では、図３に示したように、各種の寸法の用紙が用いられ、例えばここでは、最大加熱領域が最大サイズの用紙（Ａ３）の通紙幅（Ａ３の短辺）に対応し、これより幅狭の用紙（Ｂ４、Ａ４及びハガキ）は、紙幅の中心を最大加熱領域の中心に揃えて通紙され、これらの幅狭の用紙の通紙時には、通紙幅の両端側に用紙が通らない紙幅外領域が通紙幅に応じて形成され、この紙幅外領域に過昇温が発生する（図４（Ｂ）参照）。
【００３７】
そこでここでは、加熱ローラ２１の発熱を抑制する必要のある領域、すなわち最小加熱領域の外側の領域で、最小サイズ（ハガキ）の用紙の通紙時に紙幅外領域となる領域に、第１〜第３の消磁コイル３５〜３７が配置されている。特にここでは、第１〜第３の消磁コイル３５〜３７が、最小加熱領域の外側の発熱抑制領域を、通紙される用紙サイズごとの通紙幅を基準にして分割した３つの分割領域に、それぞれの消磁領域が対応するように設けられている。
【００３８】
具体的には、外側の第３の消磁コイル３７は、最大サイズ（Ａ３）の用紙の通紙領域に対応した最大加熱領域から、大サイズ（Ｂ４）の用紙の通紙領域を除いた領域を担当し、中間の第２の消磁コイル３６は、大サイズの用紙の通紙領域から、中サイズ（Ａ４）の用紙の通紙領域を除いた領域を担当し、内側の第１の消磁コイル３５は、中サイズの用紙の通紙領域から、最小サイズ（ハガキ）の用紙の通紙領域、すなわち最小加熱領域を除いた領域を担当している。
【００３９】
そして、最小サイズの用紙では、全ての消磁コイル３５〜３７を作動させ、中サイズの用紙では、中間の第２の消磁コイル３６と外側の第３の消磁コイル３７を作動させ、大サイズの用紙では、外側の第３の消磁コイル３７のみを作動させ、最大サイズの用紙では、全ての消磁コイル３５〜３７を作動させない。
【００４０】
図５・図６は、図２に示した誘導加熱ユニットの制御に係る要部を示す模式図である。この誘導加熱ユニット２３においては、通紙される用紙のサイズに応じて、作動させる消磁コイル３５〜３７を選択する制御が行われ、図５・図６に示すように、３つのスイッチ４１〜４３は、通紙される用紙サイズに応じて各分割領域にある消磁コイル３５〜３７ごとにその作動状態と非作動状態との切り替えが行われるように設けられている。
【００４１】
図５は、第１〜第３の消磁コイル３５〜３７がそれぞれ直列接続された例である。図６は、第１〜第３の消磁コイル３５〜３７がそれぞれ並列接続された例である。いずれにおいても、第１〜第３の消磁コイル３５〜３７の各々に個別にスイッチ４１〜４３が設けられ、この３つのスイッチ４１〜４３により第１〜第３の消磁コイル３５〜３７が別々に制御される。各スイッチ４１〜４３の開閉動作は、制御回路４５により制御される。なお、加熱ローラ２１の温度が温度センサ４６により検知され、これに基づいて制御回路４５で所要の制御が行われる。また、励磁コイル３１は、インバータ電源４８により駆動される。
【００４２】
図７は、図２に示した誘導加熱ユニットの要部正面図である。図８は、図７に示した励磁コイル及び消磁コイルを示す要部斜視図である。図９は、図７に示した消磁コイルを作動させた状態での未通紙時における加熱ローラの軸方向の温度分布を示している。
【００４３】
消磁コイル３５〜３７は、図７・図８に示すように、両端の折り返し部３５ａ〜３７ａ・３５ｂ〜３７ｂを励磁コイル３１から離れる方向に突出させた形状に形成されており、これにより消磁コイル３５〜３７からの放熱が促進され、同時に消磁コイル３５〜３７を介して励磁コイル３１の放熱も促進される。
【００４４】
特にこの誘導加熱ユニット２３においては、図７に示すように、図示しないファンによる冷却風が一方の端部からカバー３９の内部に吹き込まれて他方の端部から排出されるようになっており、この冷却風により消磁コイル３５〜３７及び励磁コイル３１が冷却されるが、このカバー３９の内部を通る冷却風に対して消磁コイル３５〜３７の折り返し部３５ａ〜３７ａ・３５ｂ〜３７ｂが対向する状態となるため、消磁コイル３５〜３７からの放熱が促進され、冷却効果を高めることができる。
【００４５】
また、図９に示すように、隣り合う消磁コイル３５〜３７同士で折り返し部３５ａ〜３７ａ・３５ｂ〜３７ｂが軸方向に隣接し、この部分では誘導電流が互いに逆向きに流れることで消磁効果が低下するが、折り返し部３５ａ〜３７ａ・３５ｂ〜３７ｂを大きく突出させることで薄くする、すなわち軸方向寸法を小さくすることができ、さらにここでは、折り返し部３５ａ〜３７ａ・３５ｂ〜３７ｂを加熱ローラ２１の径方向、すなわち軸方向に対して直交する方向に突出させ、隣り合う消磁コイル３５〜３７の折り返し部３５ａ〜３７ａ・３５ｂ〜３７ｂの互いに対向する端面を全面的に近接させているため、消磁効果が低下する領域を狭くすることができ、これにより紙幅外領域に部分的に温度が高い部分が発生する温度むらを抑制することができる。
【００４６】
＜第２の実施形態＞
図１０は、本発明による誘導加熱ユニットの別の例を示す断面図である。図１１は、図１０に示した励磁コイル及び消磁コイルの要部平面図である。図１２は、図１０に示した励磁コイル及び消磁コイルの要部斜視図である。図１３は、図１０に示した消磁コイルの巻線状態を示す模式図である。
【００４７】
この誘導加熱ユニット５１では、消磁コイル５２〜５４において、両端の折り返し部５２ａ〜５４ａ・５２ｂ〜５４ｂを相互に結ぶ軸方向部５２ｃ〜５４ｃ・５２ｄ〜５４ｄをそれぞれ２つに分割して、その分割部分５６・５７の間に励磁コイル３１を露出させる間隙５８が形成されており、これにより励磁コイル３１の放熱が促進される。
【００４８】
特にここでは、内側に位置する一方の分割部分５７が励磁コイル３１に重ならないように配置されており、これにより励磁コイル３１において消磁コイル５２〜５４により覆われる部分が小さくなるため、励磁コイル３１の放熱がより一層促進される。特にここでは、図１０に示すように、外側の分割部分５６が励磁コイル３１の上側（径方向外側）に重なり合うのに対して、内側の分割部分５７は、励磁コイル３１に対して加熱ローラ２１の周方向に隣り合うように並んだ状態となっており、これにより消磁コイル５２〜５４の消磁効果を高めることができる。
【００４９】
この消磁コイル５２〜５４は、図１３に示すように、１条のリッツ線（導線束）６１を巻き回すことで形成することができる。ここでは、軸方向部５２ｃ〜５４ｃ・５２ｄ〜５４ｄにおける外側の分割部分５６を通るように両端の折り返し部５２ａ〜５４ａ・５２ｂ〜５４ｂ間でリッツ線６１を往復させて形成された大巻線部６２と、軸方向部５２ｃ〜５４ｃ・５２ｄ〜５４ｄにおける内側の分割部分５７を通るように両端の折り返し部５２ａ〜５４ａ・５２ｂ〜５４ｂ間でリッツ線６１を往復させて形成された小巻線部６３とが設けられている。
【産業上の利用可能性】
【００５０】
本発明にかかる誘導加熱ユニット並びにこれを備えた定着装置及び画像形成装置は、冷却や耐熱性向上あるいは放熱性改善のためのコストアップを招くことなく、多様なサイズの幅狭の用紙について、連続通紙による紙幅外領域の過昇温を適切に抑制することができる効果を有し、回転加熱体を電磁誘導作用により発熱させる誘導加熱ユニット並びにこれを備えた定着装置及び画像形成装置などとして有用である。
【図面の簡単な説明】
【００５１】
【図１】本発明が適用される複写機の概略構成を示す模式的な断面図
【図２】図１に示した定着部を示す断面図
【図３】図２に示した誘導加熱ユニットの平面図
【図４】図３に示した誘導加熱ユニットによる加熱ローラの軸方向の温度分布を示す図
【図５】図２に示した誘導加熱ユニットの制御に係る要部を示す模式図
【図６】図２に示した誘導加熱ユニットの制御に係る要部を示す模式図
【図７】図２に示した誘導加熱ユニットの要部正面図
【図８】図７に示した励磁コイル及び消磁コイルを示す要部斜視図
【図９】図７に示した消磁コイルを作動させた状態での未通紙時における加熱ローラの軸方向の温度分布を示す図
【図１０】本発明による誘導加熱ユニットの別の例を示す断面図
【図１１】図１０に示した励磁コイル及び消磁コイルの要部平面図
【図１２】図１０に示した励磁コイル及び消磁コイルの要部斜視図
【図１３】図１０に示した消磁コイルの巻線状態を示す模式図
【符号の説明】
【００５２】
１  複写機（画像形成装置）
４  定着部
２１  加熱ローラ（回転加熱体）
２２  加圧ローラ
２３  誘導加熱ユニット
３１  励磁コイル、３１ａ・３１ｂ  折り返し部
３５〜３７  消磁コイル、３５ａ〜３７ａ・３５ｂ〜３７ｂ  折り返し部
４１〜４３  スイッチ
４５  制御回路
５１  誘導加熱ユニット
５２〜５４  消磁コイル、５２ａ〜５４ａ・５２ｂ〜５４ｂ  折り返し部、５２ｃ〜５４ｃ・５２ｄ〜５４ｄ  軸方向部
５６・５７  分割部分
５８  間隙
【図１】
2010218952.tif 000003
【図２】
2010218952.tif 000004
【図３】
2010218952.tif 000005
【図４】
2010218952.tif 000006
【図５】
2010218952.tif 000007
【図６】
2010218952.tif 000008
【図７】
2010218952.tif 000009
【図８】
2010218952.tif 000010
【図９】
2010218952.tif 000011
【図１０】
2010218952.tif 000012
【図１１】
2010218952.tif 000013
【図１２】
2010218952.tif 000014
【図１３】
2010218952.tif 000015